【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
ネットワークで接続されたコンテンツサーバーから、コンテンツを複数の映像情報再生装置で受信し、復号し再生する映像情報再生方法であって、
前記映像情報再生装置において、コンテンツ切替を検出し、そのタイミングを通知するコンテンツ切替通知ステップと、
前記コンテンツサーバーにおいて、前記コンテンツ切替通知ステップからのコンテンツ切替通知を受け、コンテンツ切替について同期すべき前記複数の前記映像情報再生装置を抽出する再生装置抽出ステップと、
前記コンテンツサーバーにおいて、前記再生装置抽出ステップにより前記抽出された前記複数の前記映像情報再生装置に対して、再生中の再生時刻を要求する再生時刻要求通知ステップと、
前記映像情報再生装置において、前記再生時刻要求通知ステップからの要求を受け、前記再生中の前記再生時刻を通知する再生時刻通知ステップと、
前記コンテンツサーバーにおいて、前記再生時刻通知ステップで得られた前記抽出された前記複数の前記映像情報再生装置の現在の前記再生時刻から、基準とする再生時刻を基準再生時刻として決定し、前記抽出された前記複数の前記映像情報再生装置に通知する基準再生時刻通知ステップと、
前記映像情報再生装置において、前記基準再生時刻通知ステップで得られた前記基準再生時刻と、前記再生時刻要求通知ステップにおいて、前記再生時刻要求を受けた時点の前記再生時刻とを比較し、前記同期すべき前記複数の前記映像情報再生装置の前記再生時刻要求を受けた時点の前記再生時刻が、前記基準再生時刻に対し、遅れているか、進んでいるかに応じて、前記同期すべき前記複数の前記映像情報再生装置の再生中の再生フレームをスキップ再生、または、リピート再生することにより、前記同期すべき前記複数の前記映像情報再生装置の前記再生中の前記再生フレームを調整する再生フレーム調整ステップと、を有し、
前記再生フレーム調整ステップにおいて、フレームのリピート再生機能でフレーム調整をする場合、
映像情報再生装置の再生時刻が基準再生時刻に対して前記映像情報再生装置により決定された時間内に収まる場合のリピート再生のフレームリピート数は、
前記基準再生時刻に対して前記映像情報再生装置により決定された前記時間以上前記映像情報再生装置の前記再生時刻が進んでいる場合のリピート再生のフレームリピート数より少なく、
前記基準再生時刻に対して前記映像情報再生装置により決定された前記時間以上前記映像情報再生装置の前記再生時刻が遅れている場合のリピート再生のフレームリピート数より多いことを特徴とした映像情報再生方法。
【請求項２】
ネットワークで接続されたコンテンツサーバーから、コンテンツを複数の映像情報再生装置で受信し、復号し再生する映像情報再生方法であって、
前記映像情報再生装置において、コンテンツ切替を検出し、そのタイミングを通知するコンテンツ切替通知ステップと、
前記コンテンツサーバーにおいて、前記コンテンツ切替通知ステップからのコンテンツ切替通知を受け、コンテンツ切替について同期すべき前記複数の前記映像情報再生装置を抽出する再生装置抽出ステップと、
前記コンテンツサーバーにおいて、前記再生装置抽出ステップにより前記抽出された前記複数の前記映像情報再生装置に対して、再生中の再生時刻を要求する再生時刻要求通知ステップと、
前記映像情報再生装置において、前記再生時刻要求通知ステップからの要求を受け、前記再生中の前記再生時刻を通知する再生時刻通知ステップと、
前記コンテンツサーバーにおいて、前記再生時刻通知ステップで得られた前記抽出された前記複数の前記映像情報再生装置の現在の前記再生時刻から、基準とする再生時刻を基準再生時刻として決定し、前記抽出された前記複数の前記映像情報再生装置に通知する基準再生時刻通知ステップと、
前記映像情報再生装置において、前記基準再生時刻通知ステップで得られた前記基準再生時刻と、前記再生時刻要求通知ステップにおいて、前記再生時刻要求を受けた時点の前記再生時刻とを比較し、前記同期すべき前記複数の前記映像情報再生装置の前記再生時刻要求を受けた時点の前記再生時刻が、前記基準再生時刻に対し、遅れているか、進んでいるかに応じて、前記同期すべき前記複数の前記映像情報再生装置の再生中の再生フレームをスキップ再生、または、リピート再生することにより、前記同期すべき前記複数の前記映像情報再生装置の前記再生中の前記再生フレームを調整する再生フレーム調整ステップと、を有し、
前記再生フレーム調整ステップにおいて、フレームのスキップ再生機能でフレーム調整をする場合、
映像情報再生装置の再生時刻が基準再生時刻に対して前記映像情報再生装置により決定された時間内に収まる場合のスキップ再生のフレームスキップ数は、
前記基準再生時刻に対して前記映像情報再生装置により決定された前記時間以上前記映像情報再生装置の前記再生時刻が進んでいる場合のスキップ再生のフレームスキップ数より多く、
前記基準再生時刻に対して前記映像情報再生装置により決定された前記時間以上前記映像情報再生装置の前記再生時刻が遅れている場合のスキップ再生のフレームスキップ数より少ないことを特徴とした映像情報再生方法。
【請求項３】
基準再生時刻通知ステップにおいて、前記再生誤差検出ステップに基づいた基準再生時刻を、抽出された複数の映像情報再生装置から通知される再生時刻を集計し、平均値に最も近い再生時刻を基準再生時刻として、前記抽出された複数の映像情報再生装置に通知することを特徴とした請求項１または請求項２に記載の映像情報再生方法。
【請求項４】
基準再生時刻通知ステップにおいて、前記再生誤差検出ステップに基づいた基準再生時刻を、抽出された複数の映像情報再生装置から通知される再生時刻を集計し、最も遅れた再生時刻を基準再生時刻として、前記抽出された複数の映像情報再生装置に通知することを特徴とした請求項１または請求項２に記載の映像情報再生方法。
【請求項５】
基準再生時刻通知ステップにおいて、再生誤差検出ステップに基づいた基準再生時刻を、抽出された複数の映像情報再生装置から通知される再生時刻を集計し、最も進んだ再生時刻を前記基準再生時刻として、前記抽出された複数の映像情報再生装置に通知することを特徴とした請求項１または請求項２に記載の映像情報再生方法。
【請求項６】
再生時刻誤差検出ステップで検出された再生時刻の誤差が、前記再生フレーム調整ステップによる調整により同期化が可能な範囲内かどうか判断する判断ステップと、
上記判断ステップで同期化が可能な範囲内ではないと判断された場合、現在再生中のコンテンツの再生を中断し、バッファメモリに蓄積されているコンテンツのデータを破棄する破棄ステップと、
再生を中断した映像情報再生装置において、次のコンテンツを受信した時点より、コンテンツのデータをバッファメモリに蓄積する蓄積ステップと、
コンテンツサーバーから、基準となる映像情報再生装置が次のコンテンツの再生を開始したタイミングの通知を受け、前記再生を中断した映像情報再生装置が次のコンテンツの再生を開始する開始制御ステップと、
をさらに有することを特徴とする請求項１から請求項５のいずれか１項に記載の映像情報再生方法。
【請求項７】
前記コンテンツがＭＰＥＧ２またはＨ．２６４で符号化されたものであることを特徴とする請求項１から請求項６のいずれか１項に記載の映像情報再生方法。
【請求項８】
ネットワークで接続されたコンテンツサーバーから、コンテンツを複数の映像情報再生装置で受信し、復号し再生する映像情報再生システムであって、
前記映像情報再生装置において、コンテンツ切替を検出し、そのタイミングを通知するコンテンツ切替通知手段と、
前記コンテンツサーバーにおいて、前記コンテンツ切替通知手段からのコンテンツ切替通知を受け、コンテンツ切替について同期すべき前記複数の前記映像情報再生装置を抽出する再生装置抽出手段と、
前記コンテンツサーバーにおいて、前記再生装置抽出手段により前記抽出された前記複数の前記映像情報再生装置に対して、再生中の再生時刻を要求する再生時刻要求通知手段と、
前記映像情報再生装置において、前記再生時刻要求通知手段からの要求を受け、前記再生中の前記再生時刻を通知する再生時刻通知手段と、
前記コンテンツサーバーにおいて、前記再生時刻通知手段で得られた前記抽出された前記複数の前記映像情報再生装置の現在の前記再生時刻から、基準とする再生時刻を基準再生時刻として決定し、抽出された前記複数の前記映像情報再生装置に通知する基準再生時刻通知手段と
前記映像情報再生装置において、前記基準再生時刻通知手段で得られた前記基準再生時刻と、前記再生時刻要求通知手段において、前記再生時刻要求を受けた時点の前記再生時刻とを比較し、前記同期すべき前記複数の前記映像情報再生装置の前記再生時刻要求を受けた時点の前記再生時刻が、前記基準再生時刻に対し、遅れているか、進んでいるかに応じて、前記同期すべき前記複数の前記映像情報再生装置の再生中の再生フレームをスキップ再生、または、リピート再生することにより、前記同期すべき前記複数の前記映像情報再生装置の前記再生中の前記再生フレームを調整する再生フレーム調整手段と、を有し、
再生フレーム調整手段において、フレームのリピート再生機能でフレーム調整をする場合、
映像情報再生装置の再生時刻が基準再生時刻に対して前記映像情報再生装置により決定された時間内に収まる場合のリピート再生のフレームリピート数は、
前記基準再生時刻に対して前記映像情報再生装置により決定された前記時間以上前記映像情報再生装置の前記再生時刻が進んでいる場合のリピート再生のフレームリピート数より少なく、
前記基準再生時刻に対して前記映像情報再生装置により決定された前記時間以上前記映像情報再生装置の前記再生時刻が遅れている場合のリピート再生のフレームリピート数より多いことを特徴とした映像情報再生システム。
【請求項９】
ネットワークで接続されたコンテンツサーバーから、コンテンツを複数の映像情報再生装置で受信し、復号し再生する映像情報再生システムであって、
前記映像情報再生装置において、コンテンツ切替を検出し、そのタイミングを通知するコンテンツ切替通知手段と、
前記コンテンツサーバーにおいて、前記コンテンツ切替通知手段からのコンテンツ切替通知を受け、コンテンツ切替について同期すべき前記複数の前記映像情報再生装置を抽出する再生装置抽出手段と、
前記コンテンツサーバーにおいて、前記再生装置抽出手段により前記抽出された前記複数の前記映像情報再生装置に対して、再生中の再生時刻を要求する再生時刻要求通知手段と、
前記映像情報再生装置において、前記再生時刻要求通知手段からの要求を受け、前記再生中の前記再生時刻を通知する再生時刻通知手段と、
前記コンテンツサーバーにおいて、前記再生時刻通知手段で得られた前記抽出された前記複数の前記映像情報再生装置の現在の前記再生時刻から、基準とする再生時刻を基準再生時刻として決定し、抽出された前記複数の前記映像情報再生装置に通知する基準再生時刻通知手段と、
前記映像情報再生装置において、前記基準再生時刻通知手段で得られた前記基準再生時刻と、前記再生時刻要求通知手段において、前記再生時刻要求を受けた時点の前記再生時刻とを比較し、前記同期すべき前記複数の前記映像情報再生装置の前記再生時刻要求を受けた時点の前記再生時刻が、前記基準再生時刻に対し、遅れているか、進んでいるかに応じて、前記同期すべき前記複数の前記映像情報再生装置の再生中の再生フレームをスキップ再生、または、リピート再生することにより、前記同期すべき前記複数の前記映像情報再生装置の前記再生中の前記再生フレームを調整する再生フレーム調整手段と、を有し、
前記再生フレーム調整手段において、フレームのスキップ再生機能でフレーム調整をする場合、
映像情報再生装置の再生時刻が基準再生時刻に対して前記映像情報再生装置により決定された時間内に収まる場合のスキップ再生のフレームスキップ数は、
前記基準再生時刻に対して前記映像情報再生装置により決定された前記時間以上前記映像情報再生装置の前記再生時刻が進んでいる場合のスキップ再生のフレームスキップ数より多く、
前記基準再生時刻に対して前記映像情報再生装置により決定された前記時間以上前記映像情報再生装置の前記再生時刻が遅れている場合のスキップ再生のフレームスキップ数より少ないことを特徴とした映像情報再生システム。
【請求項１０】
基準再生時刻通知手段において、前記再生誤差検出手段に基づいた基準再生時刻を、抽出された複数の映像情報再生装置から通知される再生時刻を集計し、平均値に最も近い再生時刻を基準再生時刻として、前記抽出された複数の映像情報再生装置に通知することを特徴とした請求項８または請求項９に記載の映像情報再生システム。
【請求項１１】
基準再生時刻通知手段において、前記再生誤差検出手段に基づいた基準再生時刻を、抽出された複数の映像情報再生装置から通知される再生時刻を集計し、最も遅れた再生時刻を基準再生時刻として、前記抽出された複数の映像情報再生装置に通知することを特徴とした請求項８または請求項９に記載の映像情報再生システム。
【請求項１２】
基準再生時刻通知手段において、再生誤差検出手段に基づいた基準再生時刻を、抽出された複数の映像情報再生装置から通知される再生時刻を集計し、最も進んだ再生時刻を前記基準再生時刻として、前記抽出された複数の映像情報再生装置に通知することを特徴とした請求項８または請求項９に記載の映像情報再生システム。
【請求項１３】
再生時刻誤差検出手段で検出された再生時刻の誤差が、前記再生フレーム調整手段による調整により同期化が可能な範囲内かどうか判断する判断手段と、
上記判断手段で同期化が可能な範囲内ではないと判断された場合、現在再生中のコンテンツの再生を中断し、バッファメモリに蓄積されているコンテンツのデータを破棄する破棄手段と、
再生を中断した映像情報再生装置において、次のコンテンツを受信した時点より、コンテンツのデータをバッファメモリに蓄積する蓄積手段と、
コンテンツサーバーから、基準となる映像情報再生装置が次のコンテンツの再生を開始したタイミングの通知を受け、前記再生を中断した映像情報再生装置が次のコンテンツの再生を開始する開始制御手段と、
をさらに有することを特徴とする請求項８から請求項１２のいずれか１項に記載の映像情報再生システム。
【請求項１４】
前記コンテンツがＭＰＥＧ２またはＨ．２６４で符号化されたものであることを特徴とする請求項８から請求項１３のいずれか１項に記載の映像情報再生システム。
【手続補正２】
【補正対象書類名】明細書
【補正対象項目名】０００７
【補正方法】変更
【補正の内容】
【０００７】
本発明に係る映像情報再生方法は、
ネットワークで接続されたコンテンツサーバーから、コンテンツを複数の映像情報再生装置で受信し、復号し再生する映像情報再生方法であって、
映像情報再生装置において、コンテンツ切替を検出し、そのタイミングを通知するコンテンツ切替通知ステップと、
コンテンツサーバーにおいて、コンテンツ切替通知ステップからのコンテンツ切替通知を受け、コンテンツ切替について同期すべき複数の映像情報再生装置を抽出する再生装置抽出ステップと、
コンテンツサーバーにおいて、再生装置抽出ステップにより抽出された複数の映像情報再生装置に対して、再生中の再生時刻を要求する再生時刻要求通知ステップと、
映像情報再生装置において、再生時刻要求通知ステップからの要求を受け、再生中の再生時刻を通知する再生時刻通知ステップと、
コンテンツサーバーにおいて、再生時刻通知ステップで得られた抽出された複数の映像情報再生装置の現在の再生時刻から、基準とする再生時刻を基準再生時刻として決定し、抽出された複数の映像情報再生装置に通知する基準再生時刻通知ステップと、
映像情報再生装置において、基準再生時刻通知ステップで得られた基準再生時刻と、再生時刻要求通知ステップにおいて、再生時刻要求を受けた時点の再生時刻とを比較し、同期すべき複数の映像情報再生装置の再生時刻要求を受けた時点の再生時刻が、基準再生時刻に対し、遅れているか、進んでいるかに応じて、同期すべき複数の映像情報再生装置の再生中の再生フレームをスキップ再生、または、リピート再生することにより、同期すべき複数の映像情報再生装置の再生中の再生フレームを調整する再生フレーム調整ステップと、を有し、
再生フレーム調整ステップにおいて、フレームのリピート再生機能でフレーム調整をする場合、
映像情報再生装置の再生時刻が基準再生時刻に対して映像情報再生装置により決定された時間内に収まる場合のリピート再生のフレームリピート数は、
基準再生時刻に対して映像情報再生装置により決定された時間以上映像情報再生装置の再生時刻が進んでいる場合のリピート再生のフレームリピート数より少なく、
基準再生時刻に対して映像情報再生装置により決定された時間以上映像情報再生装置の再生時刻が遅れている場合のリピート再生のフレームリピート数より多いものである。
また、本発明に係る映像情報再生方法は、ネットワークで接続されたコンテンツサーバーから、コンテンツを複数の映像情報再生装置で受信し、復号し再生する映像情報再生方法であって、
映像情報再生装置において、コンテンツ切替を検出し、そのタイミングを通知するコンテンツ切替通知ステップと、
コンテンツサーバーにおいて、コンテンツ切替通知ステップからのコンテンツ切替通知を受け、コンテンツ切替について同期すべき複数の映像情報再生装置を抽出する再生装置抽出ステップと、
コンテンツサーバーにおいて、再生装置抽出ステップにより抽出された複数の映像情報再生装置に対して、再生中の再生時刻を要求する再生時刻要求通知ステップと、
映像情報再生装置において、再生時刻要求通知ステップからの要求を受け、再生中の再生時刻を通知する再生時刻通知ステップと、
コンテンツサーバーにおいて、再生時刻通知ステップで得られた抽出された複数の映像情報再生装置の現在の再生時刻から、基準とする再生時刻を基準再生時刻として決定し、抽出された複数の映像情報再生装置に通知する基準再生時刻通知ステップと、
映像情報再生装置において、基準再生時刻通知ステップで得られた基準再生時刻と、再生時刻要求通知ステップにおいて、再生時刻要求を受けた時点の再生時刻とを比較し、同期すべき複数の映像情報再生装置の再生時刻要求を受けた時点の再生時刻が、基準再生時刻に対し、遅れているか、進んでいるかに応じて、同期すべき複数の映像情報再生装置の再生中の再生フレームをスキップ再生、または、リピート再生することにより、同期すべき複数の映像情報再生装置の再生中の再生フレームを調整する再生フレーム調整ステップと、を有し、
再生フレーム調整ステップにおいて、フレームのスキップ再生機能でフレーム調整をする場合、
映像情報再生装置の再生時刻が基準再生時刻に対して映像情報再生装置により決定された時間内に収まる場合のスキップ再生のフレームスキップ数は、
基準再生時刻に対して映像情報再生装置により決定された時間以上映像情報再生装置の再生時刻が進んでいる場合のスキップ再生のフレームスキップ数より多く、
基準再生時刻に対して映像情報再生装置により決定された時間以上映像情報再生装置の再生時刻が遅れている場合のスキップ再生のフレームスキップ数より少ないものである。
また、本発明に係る映像情報再生システムは、ネットワークで接続されたコンテンツサーバーから、コンテンツを複数の映像情報再生装置で受信し、復号し再生する映像情報再生システムであって、
映像情報再生装置において、コンテンツ切替を検出し、そのタイミングを通知するコンテンツ切替通知手段と、
コンテンツサーバーにおいて、コンテンツ切替通知手段からのコンテンツ切替通知を受け、コンテンツ切替について同期すべき複数の映像情報再生装置を抽出する再生装置抽出手段と、
コンテンツサーバーにおいて、再生装置抽出手段により抽出された複数の映像情報再生装置に対して、再生中の再生時刻を要求する再生時刻要求通知手段と、
映像情報再生装置において、再生時刻要求通知手段からの要求を受け、再生中の再生時刻を通知する再生時刻通知手段と、
コンテンツサーバーにおいて、再生時刻通知手段で得られた抽出された複数の映像情報再生装置の現在の再生時刻から、基準とする再生時刻を基準再生時刻として決定し、抽出された複数の映像情報再生装置に通知する基準再生時刻通知手段と
映像情報再生装置において、基準再生時刻通知手段で得られた基準再生時刻と、再生時刻要求通知手段において、再生時刻要求を受けた時点の再生時刻とを比較し、同期すべき複数の映像情報再生装置の再生時刻要求を受けた時点の再生時刻が、基準再生時刻に対し、遅れているか、進んでいるかに応じて、同期すべき複数の映像情報再生装置の再生中の再生フレームをスキップ再生、または、リピート再生することにより、同期すべき複数の映像情報再生装置の再生中の再生フレームを調整する再生フレーム調整手段と、を有し、
再生フレーム調整手段において、フレームのリピート再生機能でフレーム調整をする場合、
映像情報再生装置の再生時刻が基準再生時刻に対して映像情報再生装置により決定された時間内に収まる場合のリピート再生のフレームリピート数は、
基準再生時刻に対して映像情報再生装置により決定された時間以上映像情報再生装置の再生時刻が進んでいる場合のリピート再生のフレームリピート数より少なく、
基準再生時刻に対して映像情報再生装置により決定された時間以上映像情報再生装置の再生時刻が遅れている場合のリピート再生のフレームリピート数より多いものである。
また、本発明に係る映像情報再生システムは、ネットワークで接続されたコンテンツサーバーから、コンテンツを複数の映像情報再生装置で受信し、復号し再生する映像情報再生システムであって、
映像情報再生装置において、コンテンツ切替を検出し、そのタイミングを通知するコンテンツ切替通知手段と、
コンテンツサーバーにおいて、コンテンツ切替通知手段からのコンテンツ切替通知を受け、コンテンツ切替について同期すべき複数の映像情報再生装置を抽出する再生装置抽出手段と、
コンテンツサーバーにおいて、再生装置抽出手段により抽出された複数の映像情報再生装置に対して、再生中の再生時刻を要求する再生時刻要求通知手段と、
映像情報再生装置において、再生時刻要求通知手段からの要求を受け、再生中の再生時刻を通知する再生時刻通知手段と、
コンテンツサーバーにおいて、再生時刻通知手段で得られた抽出された複数の映像情報再生装置の現在の再生時刻から、基準とする再生時刻を基準再生時刻として決定し、抽出された複数の映像情報再生装置に通知する基準再生時刻通知手段と、
映像情報再生装置において、基準再生時刻通知手段で得られた基準再生時刻と、再生時刻要求通知手段において、再生時刻要求を受けた時点の再生時刻とを比較し、同期すべき複数の映像情報再生装置の再生時刻要求を受けた時点の再生時刻が、基準再生時刻に対し、遅れているか、進んでいるかに応じて、同期すべき複数の映像情報再生装置の再生中の再生フレームをスキップ再生、または、リピート再生することにより、同期すべき複数の映像情報再生装置の再生中の再生フレームを調整する再生フレーム調整手段と、を有し、
再生フレーム調整手段において、フレームのスキップ再生機能でフレーム調整をする場合、
映像情報再生装置の再生時刻が基準再生時刻に対して映像情報再生装置により決定された時間内に収まる場合のスキップ再生のフレームスキップ数は、
基準再生時刻に対して映像情報再生装置により決定された時間以上映像情報再生装置の再生時刻が進んでいる場合のスキップ再生のフレームスキップ数より多く、
基準再生時刻に対して映像情報再生装置により決定された時間以上映像情報再生装置の再生時刻が遅れている場合のスキップ再生のフレームスキップ数より少ないものである。